(57)【特許請求の範囲】
【請求項１】
密閉容器内に配置された少なくとも１つの電路を備え、この電路の水平に延びる部分からこれに垂直に延びる電路部分に移行する範囲に接地装置付き断路器、いわゆる３位置開閉器が配置され、この３位置開閉器の開閉要素が、その長手方向に移動可能であり電路に組み込まれて電路側の接触子範囲と密閉容器側の接触子範囲とを備えている円筒状接触子部として形成され、この接触子部に対向して密閉容器に接地装置が配置されているガス絶縁開閉装置の密閉容器モジュールにおいて、円筒状接触子部（１）の密閉容器側の接触子範囲（１２）が円筒状に配置された複数のフィンガー状接触子片（１３）からなり、対応する接地装置（３）がピン状接触子（３１）として形成され、このピン状接触子（３１）が密閉容器（４）に対して絶縁されて配置されて接触子支持体（３２）に取付けられ、この接触子支持体（３２）は、密閉容器（４）の壁を通して外部に導かれ管状絶縁体（３５）によって包囲されかつ密閉容器（４）の外表面の加工された部分に固定されたピン（３４）により保持されていることを特徴とするガス絶縁開閉装置の密閉容器モジュール。
【発明の詳細な説明】
【０００１】
この発明は、配電分野に係り、電路に接地装置付き断路器、いわゆる３位置開閉器が組み込まれ、開閉要素としてその長手方向に移動可能な接触子部が設けられ、この接触子部が絶縁されて外部に引き出された軸及び転向装置により駆動されるガス絶縁開閉装置の密閉容器モジュールの構造上の構成に適用される。
【０００２】
このような公知の密閉容器モジュールにおいては、３相開閉装置の各相が個々にそれ自体で密閉され、３位置開閉器が電路の９０°転向範囲に密閉容器モジュールの軸線に対して同軸に配置されている。円筒状に形成された接触子部は、電路の一部である容器の中に導かれ、電路側の接触子範囲及び密閉容器側の接触子範囲を備えている。密閉容器側の接触子範囲に対応して密閉容器に接触子受けとして形成されている接地装置が配置されている。接触子部に平行に絶縁性の駆動軸が密閉容器を通して挿入されており、この駆動軸はねじ棒とねじ受けの形の転向装置を介して円筒状の接触子部と結合されている（ドイツ特許出願公開第２４１４２００号明細書）。
【０００３】
３つの電路に対して共通の密閉容器を備えた密閉形開閉装置用として、その構造体積を減少させるために、３位置開閉器も公知である。この場合、開閉軸によって共通に駆動される開閉要素として、端部が密閉容器軸に対して平行或いは約４５°の傾斜で配置されている揺動可能な刃形接触子が使用されている。それぞれ付設された接地装置は、その場合、密閉容器の内部に固定されているか（雑誌「エー、テー、ツェット（ｅｔｚ）」第１０９巻、１９８８年、第９号、４０４〜４０５頁、図５）或いは密閉容器の壁を通して外部に引き出され、密閉容器の外表面の加工された部分に固定されたピンにより保持された接触子支持体に取付けられている（シュプレッヒェ・エネルギー社のパンフレット「密閉形ＳＦ６高電圧開閉装置、７２．５〜１４５ｋＶ、タイプＢ３１２」、１９８８年発行、第２頁、図１）。３つの電路の共通の密閉容器と、１つの分路に配置された３位置開閉器とを備えた公知の開閉装置においては、開閉区間を構造的に簡単にするために、揺動可能な刃形接触子を公知の移動可能な円筒状接触子で置換している（ドイツ特許出願公開第１９６３２５７４号明細書）。
【０００４】
この発明の課題は、請求項１の前文に記載の構成（ドイツ特許出願公開第１９６３２５７４号明細書）を備えた密閉容器モジュールを基にして、３位置開閉器の所要スペースをさらに最適化することにある。
【０００５】
この課題を解決するために、この発明によれば、円筒状接触子部の密閉容器側の接触子範囲が円筒状に配置された多数のフィンガー状接触子片からなり、対応する接地装置が自己遮蔽性のピン状接触子として形成されている。
【０００６】
開閉要素及びこれに付設された接地装置をこのように構成すると、開閉要素はその密閉容器側の接触子範囲が、従来のように接触子受けの中に進入するのではなく、それ自体接触子受けとして形成され、接触子受けより遙かに小形に形成されるピン状接触子に突き当たる。この小形構造の利点は、開閉要素が係合する電路の固定接触子部が先願のドイツ特許出願第１９７５８０９７．１号に従って構成されている場合、即ち、接触子片が同時に遮蔽片を形成する場合さらに大きくなる。
【０００７】
ピン状接触子の小形構造は、垂直に延びる電路を収納する容器部分の範囲における密閉容器モジュールの構造体積の小形化を可能にする。
【０００８】
さらに、この発明において、ピン状接触子は密閉容器に対して絶縁されて配置されて接触子支持体に取付けられ、この接触子支持体は、密閉容器の壁を通して外部に導かれ管状絶縁体によって包囲されかつ密閉容器の外表面の加工された部分に固定されたピンにより保持される。この構成はピン状接触子を必要に応じて密閉容器に対して絶縁して配置することを可能にし、これにより接地装置は外部から近接可能であり、測定目的に利用される道を開く。このような絶縁配置は、好ましくは、固定フランジを備えた管状絶縁体を通してピンを引き出し、これにより接触子支持体を密閉容器に対して間隔を保持するように行うのがよい。
【０００９】
この発明による密閉容器モジュールの構造の実施例を図１及び２で説明する。  図１は、縦長の円筒状の接触子部であり、その機能に関して、電路側の接触子範囲１１と密閉容器側の接触子範囲１２とを持つ開閉要素１を示す。電路側の接触子範囲１１は開閉要素の外表面により形成されるが、密閉容器側の接触子範囲１２は、開閉要素の内部において、円筒状に配置されかつ接触子部の他の部分に一体に結合されている多数のフィンガー状接触子片１３によって形成されている。開閉要素１は、さらに、中央に、図２に示される開閉レバーの受け部を収容するための孔１４及びこの開閉レバーを通すためのスリット１５を備えている。
【００１０】
図２において、開閉要素１は公知のように（ドイツ特許出願公開第１９６３２５７４号明細書）３位置開閉器２の一部分であり、電路の容器状部分２１の中に配置されている。この電路は、部分的に示された密閉容器４を通って軸線方向に導かれた電路部２２と、これに対してほぼ垂直に延び容器状部分２１に結合されている電路部２３とを備えている。この容器状部分２１はその両端に自己遮蔽性のフィンガー状接触子片２４、２５を備えている。同状の接触子片２６が電路部２２に配置されている。
【００１１】
密閉容器４には、ピン状接触子３１と、接触子支持体３２と、密閉容器４の壁を通して外部に引き出されているピン３４とからなる接地装置３が固定されている。このピン３４は密閉容器４の外表面の加工された部分３６に詳細には図示されていないやり方で固定されている。接触子３１はその場合約４５°だけピン３４の軸線に対して傾斜している接触子支持体３２の取付け面３３に取付けられている。さらに、この実施例の場合、ピン３４は、固定フランジ３７を備えた絶縁体３５を使用して密閉容器４に対して絶縁して配置されている。この絶縁体３５はその場合同時に接触子支持体３２を密閉容器４に対して間隔をおいて保持している。
【００１２】
開閉要素１は片腕の開閉レバー１６により駆動され、このレバーはその可動端が受け部１７を介して開閉要素１に可動に結合されるとともに、開閉軸１８上に配置されている。この開閉軸は紙面に対して垂直に密閉容器４の外側に導かれている。
【００１３】
３相の３位置開閉器を密閉容器４内に配置する場合、この３相の開閉部分は互いに並列して密閉容器の中に、図２では紙面に対して垂直方向に相前後して配置されている。
【図面の簡単な説明】
【図１】この発明により形成された開閉要素の縦断面。
【図２】この開閉要素と密閉容器に配置された３位置開閉器の接触子との位置関係を示す断面図。
【符号の説明】
１              開閉要素
２              ３位置開閉器
３              接地装置
４              密閉容器
１１            電路側の接触子範囲
１２            密閉容器側の接触子範囲
１３            フィンガー状接触子片
１４            孔
１５            スリット
１６            開閉レバー
１７            受け部
２１            容器状部分
２２，２３      電路部
２４，２５      開閉要素のフィンガー状接触子片
２６            電路部のフィンガー状接触子片
３１            ピン状接触子
３２            接触子支持体
３３            取付け面
３４            ピン
３５            絶縁体
３６            加工された部分
３７            固定フランジ
【図１】
0003559241.tif 000002
【図２】
0003559241.tif 000003